(57)【要約】【課題】長期にわたり安定させた音量・音質にて音を発することができる音送出機能を備えたレンジフードを提供する。【解決手段】音源装置８から出力される音声信号を振動に変換させることで音を発するスピーカ１４を備えている。このスピーカ１４は、調理中に発生する廃ガスなどの汚染物質に曝されないレンジフードＡの幕板４の裏面側に圧電振動体９を備え、この圧電振動体９によって幕板４を振動させることで、音源装置８から発せられる音楽や音声などの音を台所側に送出するように構成されている。【選択図】図１
2008025968.tif 000002
【特許請求の範囲】
【請求項１】
調理により発生する廃ガスなどを吸引捕獲して屋外に排気するためのレンジフードであって、
音源装置から出力される音声信号を振動に変換させることで音を発するスピーカを備えてなり、
前記スピーカは、廃ガスなどの汚染物質に曝されないフード構成部材を圧電振動体によって振動させることで音を送出するように構成されていることを特徴とするレンジフード。
【請求項２】
前記フード構成部材が、排気ダクトなどを目隠すように取り付けられる幕板であり、この幕板の裏面側に前記圧電振動体が取り付けられていることを特徴とする請求項１に記載のレンジフード。
【請求項３】
調理により発生する廃ガスなどを吸引捕獲して屋外に排気するための排気装置を備えているレンジフードであって、
音源装置から出力される音声信号を振動に変換させることで音を発するスピーカを備えてなり、
前記スピーカは、廃ガスなどの汚染物質に曝されないフード構成部材を圧電振動体によって振動させることで音を送出するように構成され、かつ、前記圧電振動体は、電子ボリュームおよびマイクロコンピュータを介して操作スイッチ部に接続され、
前記操作スイッチ部は、前記排気装置の作動オン・オフ、そして排気能力の強弱を切り替えるための排気操作部と、前記スピーカの音量を調節するための音量操作部と、を備えており、
前記排気操作部は、前記排気装置の排気能力の強弱切り換えに同期させて前記スピーカの音量が自動的に切り替えられるように、前記マイクロコンピュータ、電子ボリュームを介して前記圧電振動体に接続されていることを特徴とするレンジフード。
【発明の詳細な説明】
【技術分野】
【０００１】
本発明は、加熱調理器具の上方に設置され、調理により発生する廃ガスなどを吸引捕獲して屋外に排気するために用いられるレンジフードに係り、特に、他の場所に置かれている音源装置から発せられる音楽や音声などを、調理作業を行いながら聴くことができる音送出機能を備えたレンジフードに関する。
【背景技術】
【０００２】
近年では、台所以外の他の場所に置かれているテレビ（ＴＶ）、ラジオ、及びその他のオーディオ機器などの音源装置から発せられる音楽や音声などを聴きながら、調理作業を楽しむ傾向にある。
しかし、台所は、加熱調理器具の使用に伴うレンジフードの運転音（排気ファンの風きり音やファンモータの回転音など）、そして、水道水の落下音やまな板音などが騒音となってうるさい環境にある。
そのために、例えば、リビングやダイニングルームに置かれている音源装置、特に、テレビを見たい場合、テレビの画面は遠くに見えるものの、テレビから発せられる音については非常に聴き取り難い環境での調理作業を強いられているのが現状である。
【０００３】
そこで、騒音による音源装置からの音の聴き取り難さを解消するために、スピーカを備えたレンジフードが提案されている（例えば、特許文献１参照）。
この特許文献１に記載されているレンジフードは、排気ファンの風きり音やファンモータの回転音などの騒音を検知するためのセンサマイクと、このセンサマイクからの検知信号を処理して増幅するための信号処理増幅回路と、この信号処理増幅回路からの出力信号で駆動されるスピーカと、を備えている。
これにより、台所以外の他の場所に置かれている音源装置からの音楽や音声などが、スピーカを通じて調理中の作業者に送出されるようにしている。
【特許文献１】特許第２６３７０２５号（請求項１、段落番号０００９〜００１１、及び図１参照）
【発明の開示】
【発明が解決しようとする課題】
【０００４】
ところで、特許文献１に記載のレンジフードに取り付けられているスピーカは、オーディオ機器のスピーカボックスなどに内蔵されている音楽や音声の電気信号を空気の振動に変換することで音を発する。例えば、コーン紙などからなる振動板を永久磁石とコイルにより駆動させたときの振動板の振動により空気を振動させることで音を送出するように構成されている一般的なコーン型スピーカである。
【０００５】
したがって、このようなコーン型スピーカをレンジフードに取り付ける場合には、レンジフードの外である台所側との空気の流通性を持たせた状態で取り付けることが必須となる。
そのために、レンジフード内から台所側への空気の流通性（空気伝播）を確保するために、例えば、スピーカが取り付けられるフード本体に、台所側に流通させるための流通窓などを設けてスピーカを台所側に露出させる。または、調理により発生する油煙、廃ガスなどを吸引捕獲する下向き開口のフード本体の内側などにスピーカをむき出し状態で取り付けるなどによって台所側と流通させてスピーカをレンジフードに備える必要がある。
【０００６】
しかしながら、レンジフードが設置される加熱調理器具の上方は、調理中に発生する油煙や水蒸気、廃ガス、そして、排気ファンにより引き寄せられてくる室内の埃などの様々の汚染物質が多く存在しているなどの厳しい環境下にある。
そのために、露出、または、むき出し状態でレンジフードに取り付けられているスピーカは、金属製のガードなどによって保護されてはいるものの、廃ガスに含まれている油脂分などが付着し易い環境に常時曝されていることで、振動板に短期間で付着物が堆積する。
付着物が堆積した振動板は、空気を振動させるための制動能力が大幅に低下するなどの不具合を招き、結果として、スピーカの音量・音質などが短期間で低下してしまうといった問題があった。
【０００７】
なお、油脂分などの付着による振動板の機能低下を回復させるために、振動板を洗浄することによって付着物を取り除くことが考えられるが、振動板がコーン紙である材質上から洗浄などによる付着物の除去は困難である。
【０００８】
また、従来では、スピーカを台所の室内表面に露出させる必要があることで、レンジフードの意匠性が損なわれるおそれがあった。
【０００９】
そこで、本発明は、前記課題を解消するために創案されたものであり、長期にわたり安定させた音量・音質にて音を発することができる音送出機能を備えたレンジフードを提供することにある。
【課題を解決するための手段】
【００１０】
上記課題を解決するために本発明は、調理により発生する廃ガスなどを吸引捕獲して屋外に排気するためのレンジフードであって、音源装置から出力される音声信号を振動に変換させることで音を発するスピーカを、廃ガスなどの汚染物質に曝されないフード構成部材に備えてなり、前記スピーカは、前記フード構成部材を圧電振動体によって振動させることで音を送出するように構成されていることを特徴としている（請求項１）。
ここで、前記フード構成部材が、排気ダクトなどを目隠すように取り付けられる幕板であり、この幕板の裏面側に前記圧電振動体を取り付けるようにすることが好適なものとなる（請求項２）。
【００１１】
請求項１に記載の構成よれば、音源装置から出力される音声信号が印加されることで振動する圧電振動体は、印加された音声信号の電圧レベルに応じた振幅で振動し、フード構成部材を振動させる。これにより、音源装置から発せられる音楽や音声などの音がフード構成部材から台所側に送出される。
また、圧電振動体によって振動されるフード構成部材に、調理中に発生する廃ガスなどの汚染物質、特に、廃ガスに含まれている油脂分などが付着した場合には、フード構成部材は繰り返し洗浄が可能である。これにより、長期にわたり安定させた音量・音質にて音楽や音声などの音を台所側に送出することができる。
そして、請求項２のように構成することにより、請求項１に記載の作用に加えて、圧電振動体の振動は、平面状の幕板全体に伝播されることとなり、幕板から台所に送出される音楽や音声などの音量・音質を十分に得ることができる。これにより、調理中の作業者に対し、高音質の音楽や音声などの音を送出することができて、快適な音環境を有するキッチン空間を提供することが期待できる。
【００１２】
また、本発明では、調理により発生する廃ガスなどを吸引捕獲して屋外に排気するための排気装置を備えているレンジフードであって、
音源装置から出力される音声信号を振動に変換させることで音を発するスピーカを備えてなり、前記スピーカは、廃ガスなどの汚染物質に曝されないフード構成部材を圧電振動体によって振動させることで音を送出するように構成され、かつ、前記圧電振動体は、電子ボリュームおよびマイクロコンピュータを介して操作スイッチ部に接続され、前記操作スイッチ部は、前記排気装置の作動オン・オフ、そして排気能力の強弱を切り替えるための排気操作部と、前記スピーカの音量を調節するための音量操作部と、を備えており、前記排気操作部は、前記排気装置の排気能力の強弱切り換えに同期させて前記スピーカの音量が切り替えられるように、前記マイクロコンピュータ、電子ボリュームを介して前記圧電振動体に接続されていることを特徴とする（請求項３）。
【００１３】
請求項３に記載の構成によれば、音源装置から出力される音声信号が印加されることで振動する圧電振動体は、印加された音声信号の電圧レベルに応じた振幅で振動し、フード構成部材を振動させる。これにより、音源装置から発せられる音楽や音声などの音を、長期にわたり安定させた音量・音質にて台所側に送出することができる。
また、操作スイッチ部の排気操作部による排気装置の排気能力の強弱切り換え操作によって、スピーカからの音量をも同期させて自動的に切り替えることができる。これにより、調理を行う作業者は、排気能力を上げるために排気装置の運転を、低運転から中運転などのように切り替えるたびに、音量操作部を操作してスピーカからの音量を上げるなどの煩わしい操作を行う必要がなくなる。よって、取り扱い性、利便性に優れた音送出機能を備えたレンジフードを提供することができる。
【発明の効果】
【００１４】
本発明のレンジフードは、振動板としてのフード構成部材を圧電振動体によって振動させることで、音響装置から発せられる音楽や音声などの音を台所側に送出することができる。
また、圧電振動体は、調理中に発生する廃ガスなどの汚染物質に曝されないようにフード構成部材に備えられていることで、汚染物質などによって機能が低下することはなく、しかも、フード構成部材に廃ガスに含まれている油脂分などが付着した場合には、フード構成部材は繰り返し洗浄が可能であり、付着物を簡単に取り除くことができる。これにより、長期にわたり安定させた音量・音質にて音源装置から発せられる音楽や音声などの音を台所側に送出することが可能になる。
【００１５】
また、本発明では、レンジフードを構成する平板状の幕板を振動板として利用し、調理中に発生する廃ガスなどの汚染物質に曝されることがない幕板の裏面側に圧電振動体を取り付けて台所側に音を送出することができるように構成していることで、汚染物質による弊害を防いで長期にわたり安定させた音量・音質を得ることができる。
しかも、圧電振動体の振動は、平面状で広い面積を有する幕板全体に伝播されることとなり、幕板全体から台所側に音楽や音声などの音が送出されることとなる。これにより、調理中の作業者に対し、付加価値に優れ、かつ、快適な音環境を有するキッチン空間を提供することができる。
【００１６】
また、本発明によれば、振動板としての幕板（フード構成部材）を圧電振動体によって振動させることで音楽や音声などの音を台所側に送出する構成のスピーカを採用したことで、従来のレンジフードのように、スピーカを台所側に露出させるなどの必要がない。これにより、キッチンキャビネットなどとの調和が図られているレンジフードの意匠性が損なわれることを回避して音送出機能という付加価値を備えることができる。
【００１７】
また、本発明によれば、幕板に圧電振動体を取り付けるなどによって、音源装置から発せられる音楽や音声などの音を、台所側に送出するための音送出機能を備えたレンジフードを提供することができる。つまり、簡略化された構成であるが故に、既存のレンジフードに音送出機能という新たな付加価値を備えることができるなどの効果をも期待することができ、有益である。
【００１８】
さらに、本発明によれば、排気装置の排気能力を上げるために、排気装置の運転を、低運転から中運転、そして中運転から高運転に切り替える操作を行うたびに、音量操作部をも操作してスピーカからの音量を上げるなどの煩わしい操作を行う必要がないので、調理を行う作業者にとって取り扱い性、利便性に優れた音送出機能を備えたレンジフードを提供することができる。
【発明を実施するための最良の形態】
【００１９】
以下、本発明に係るレンジフードの実施形態について、適宜図面を参照しながら詳細に説明する。
【００２０】
＜第1の実施形態の説明＞
図１は、第1の実施形態に係るレンジフードの概略構成を示す断面図であり、図２は、フード部の前面部に備えられる操作スイッチ部を示す正面図である。
なお、レンジフードのタイプとしては特に限定されるものでない。例えば、平型、ブーツ型、オーブンキッチン型、そしてアイランド型などの様々なタイプを挙げることができる。
ここでは、フード部が扁平箱型状を呈している平型タイプのレンジフードを一例として挙げて説明する。
【００２１】
≪レンジフードの構成≫
レンジフードＡは、ガスレンジなどの加熱調理器具（図示省略）の略真上である指定された高さ位置において設置されるものであり、調理中に発生する油煙、水蒸気、熱気、廃ガスなどの汚染物質を吸引捕獲し、排気ダクト１を介して屋外に排気するように構成されている。
【００２２】
このレンジフードＡは、図１に示すように、下向きに開口する扁平箱形状のフード部２の天板２a上に、フード部２に連通させた排気装置３を配置し、この排気装置３のファンケーシング３ａから屋外に至るように配管される排気ダクト１を備えている。
【００２３】
また、レンジフードＡは、フード部２上の排気装置３や排気ダクト１などを目隠すように、フード部２の天板２ａ上から建物の天井Ｂに至るように幕板４を備えている。
これにより、図１に示すように、幕板４の裏側には、この幕板４、フード部２の天板２ａ、そして建物の天井Ｂ及び壁面Ｃによって包囲された油煙、水蒸気、熱気、廃ガス、そして室内の埃などの汚染物質が入り込むことがない空間Ｄが形成されるようになっている。
【００２４】
幕板４は、周知のように、所定の大きさで平板状を呈する金属製であり、排気装置３や排気ダクト１などを目隠すように、フード部２の天板２ａ上から建物の天井Ｂに至るように取り付けられるように形成されている。
【００２５】
また、図1に示すように、レンジフードＡは、フード部２の前面部に操作スイッチ部５を備えている。この操作スイッチ部５は、排気装置３の運転オン・オフ切り換え、そして排気能力の強弱を切り替えるためのタッチ式またはプッシュ式のスイッチ類からなる排気操作部５ａを備えている（図２参照）。
また、この操作スイッチ部５は、照明（ランプ）６の点灯オン・オフ切り替えを行うためのタッチまたはプッシュ式のスイッチ類からなる照明操作部５ｃを備えている（図２参照）。
【００２６】
そして、本実施形態では、このように構成されているレンジフードＡに、音源装置７からの音声信号を振動に変換させることで台所側に音を送出するためのスピーカ装置８を備えている。
すなわち、図１に示すように、幕板４の裏面側に後記するスピーカ１４の圧電振動体９を備え、この圧電振動体９によって幕板４を振動させることで、台所以外のリビングなどに置かれている音源装置７からの音楽や音声などの音を台所側に送出するようにしている。
【００２７】
≪第１の実施形態のスピーカ装置の構成≫
図３は、第１の実施形態に係るスピーカ装置の概略構成を示すブロック図である。ここでは、図1を適宜参照しながら説明する。
スピーカ装置８は、図３に示すように、テレビ（ＴＶ）、ラジオ、及びその他のオーディオ機器などの複数の音源装置７からそれぞれ出力される音声信号を、音声信号コード１０を用いた有線方式で入力するためのセレクタ１１を備え、このセレクタ１１の出力側には電子ボリューム（Ｅｌｅｃｔｒｏｎｉｃ  Ｖｏｌｕｍｅ）１２が接続されている。そして、この電子ボリューム１２にはアンプ１３を介してスピーカ１４を構成する圧電振動体９が接続されている。
また、スピーカ装置８は、セレクタ１１及び電子ボリューム１２にそれぞれ接続されるマイクロコンピュータ１５を備えている。
【００２８】
このように構成されているスピーカ装置８は、圧電振動体９を除く、セレクタ１１、電子ボリューム１２、アンプ１３、マイクロコンピュータ１５を、図１に示すフード部２の上に配置されるコントロールボックス１６に収められてレンジフードＡに備えられるようにしている。
【００２９】
ちなみに、音源装置７としては、音声信号を出力するものであれば特に限定されるものではない。例えば、テレビ（ＴＶ）、ラジオ、ビデオ、ＣＤ及びＤＶＤプレーヤ、その他のオーディオ機器などを挙げることができる。
【００３０】
セレクタ１１は、周知の構成を呈している。すなわち、複数の音源装置７の各イアホンジャックなどの外部音声出力端子（図示省略）に一端側が接続されるそれぞれの音声信号コード１０の他端側を接続するための複数の音声入力端子（図示省略）を備えている。
そして、このセレクタ１１は、各音源装置７からそれぞれの音声信号コード１０を介して入力される音声信号を切換選択可能に構成されているとともに、選択された音声装置７からの音声信号を、電子ボリューム１２及びアンプ１３を介して圧電振動体９に出力するための音声出力端子（図示省略）を備えている。
【００３１】
また、セレクタ１１は、マイクロコンピュータ１５を介してフード部２の操作スイッチ部５に接続されており、この操作スイッチ部５に備えられている音源選択操作部（図示省略）による選択によってマイクロコンピュータ１５から出力される選択信号に基づき、選択された例えば、テレビ、ラジオ、その他のオーディオ機器いずれかの音源装置７からの音声信号を、電子ボリューム１２及びアンプ１３を介して圧電振動体９に印加するように形成されている。
【００３２】
電子ボリューム１２は、マイクロコンピュータ１５を介して操作スイッチ部５に接続されており、この操作スイッチ部５に備えられている摘み回転式やプッシュ式、そしてタッチ式などスイッチ類からなる音量操作部５ｂによって（図２参照）、スピーカ１４から台所側に送出される音楽や音声などの音量を任意に調節することができるようにしている。
【００３３】
マイクロコンピュータ１５は、操作スイッチ部５に備えられている排気操作部５ａによって操作される排気装置３の排気能力の強弱（高、中、低）切り換えなどのレンジフードＡの運転操作に必要とする回路基板（図示省略）、そして、前記したように、操作スイッチ部５の音源選択操作部による選択に基づいてその選択信号をセレクタ１１に出力するための回路基板（図示省略）などを備えて構成されている。
【００３４】
また、このマイクロコンピュータ１５は、排気操作部５ａによる排気装置３の排気能力の強弱（高、中、低）切り換えに同期させて、台所に送出するスピーカ１４からの音量を自動的に切り替えるための回路基板（図示省略）を備えている。
つまり、排気装置３から発生する排気ファンの風きり音やファンモータの回転音などによる騒音値は、排気装置３の弱運転、中運転、そして高運転に比例して大きくなる。
そこで、本願発明者らは、排気装置３の弱運転のとき、中運転のとき、そして高運転のときに発生する騒音値をそれぞれ測定し、この各運転のときの各騒音値をマイクロコンピュータ１５に記憶させておく。そして、排気装置３が運転していない無動作のときに、作業者が聞いている最適な音量で音楽や音声を楽しむことができるように、スピーカ１４から送出される音量も、排気装置３を弱運転から中運転、そして強運転に切り替えられる操作が排気操作部５ａにおいて行われた場合、それら各運転の切り替え操作に同期させて低音量から中音量、そして高音量へと自動的に切り替えられる音量信号を電子ボリューム１２に出力するためのプログラムが組み込まれた回路基板をマイクロコンピュータ１５に備えている。
【００３５】
スピーカ１４は、図１に示すように、振動板としての幕板４の裏面側に圧電振動体９を取り付けることで構成されている。つまり、音源装置７からの音声信号を振動に変換して振動する圧電振動体９によって幕板４を振動させることで音を発するように構成されている。これにより、音源装置７が発する音楽、音声などの音が幕板４を介して台所側に送出されることとなる。
【００３６】
ちなみに、圧電振動体９は、周知の構造を呈している。その一例として、例えば、幕板４全体に多数の点音源を生み出すことができる圧電多点駆動式などを挙げることができる。
また、圧電振動体９を幕板４に取り付ける方法としては、例えば、金属製の幕板４に対し、磁石による取り付け或いは接着材による取り付けなどの適宜の取付手段を挙げることができる。
【００３７】
次に、以上のように構成されている第１実施形態に係るスピーカ装置８の動作一例について説明する。
例えば、リビングに置かれている音源装置７であるテレビを見ながら調理をする場合、フード部２の前面部に備えられている操作スイッチ部５の音源選択操作部によってテレビを選択する。
これにより、テレビから出力される音声信号は、音声信号コード１０を通じてコントロールボックス１６に収容されているセレクタ１１に入力され、このセレクタ１１から電子ボリューム１２を介してアンプ１３へ入力されて増幅される。アンプ１３によって増幅された音声信号は、幕板４に取り付けられている圧電振動体９へと印加される。
【００３８】
アンプ１３によって増幅された音声信号が、圧電振動体９に印加されると、圧電振動体９は、印加された音声信号の電圧レベルに応じた振幅で振動し、この振動がレンジフードＡの幕板４に伝達されて幕板４を振動させる。これにより、音楽や音声などの音が幕板４から台所側に送出される。つまり、テレビから発せられる音楽や音声などの音が幕板４から台所で調理中の作業者に送出される。
【００３９】
そして、調理中に、排気能力を上げるために排気装置３の運転を、中運転から高運転に切り替える操作が操作スイッチ部５の排気操作部５ａにより行われ、この運転切替え信号がマイクロコンピュータ１５に出力される。すると、マイクロコンピュータ１５は、記憶している中運転のときの騒音値から高運転のときの騒音値、そして、この高運転のときの騒音値からスピーカ１４から送出するための音量を算出し、この音量信号を電子ボリューム１２に出力する。これにより、スピーカ１４から送出される音楽や音声などの音量が、排気操作部５ａの運転切替え操作に同期して自動的に切り替えられて幕板４から台所で調理中の作業者に送出される。よって、スピーカ１４からの音量を上げるための本来の音量操作部５ｂを操作してスピーカ１４の音量を上げるなどの煩わしい操作を行う必要がない。
【００４０】
＜第２の実施形態の説明＞
図４は、第２の実施形態に係るレンジフードを示す概略断面図である。
この第２の実施形態では、レンジフードＡ１に備えられるスピーカ装置８−１の構成、特に、音源装置７からの音声信号をセレクタ１１に無線方式によって送信するように構成している。
つまり、図４に示すように、音声信号を赤外線信号に変更して送信するための光送信ユニット１６と、この光送信ユニット１６から送信される遠赤外線信号を受光して音声信号に復調するための光受信ユニット１７とを用いることで、音声信号をセレクタ１１に送信するようにしている。
このように、第２の実施形態では、音声信号を無線方式でセレクタ１１に送信するように構成した以外のレンジフードＡ１及びスピーカ装置８−１を構成する他の構成部分においては前記した第1の実施形態と基本的に同じことから同じ構成部分に同じ符号を付することで重複説明は省略する。
【００４１】
≪第２の実施形態のスピーカ装置の構成≫
図５は、第２の実施形態に係るスピーカ装置の概略構成を示すブロック図である。ここでは、図４を適宜参照しながら説明する。
スピーカ装置８−１は、前記した第1の実施形態におけるセレクタ１１、電子ボリューム１２、アンプ１３、マイクロコンピュータ１５に加えて、図５に示すように、音源装置７のイアホンジャックなどの外部音声出力端子（図示省略）に接続される光送信ユニット１６と、セレクタ１１の各音声入力端子に接続される光受信ユニット１７とを備えて構成されている。
なお、斯かる第２の実施形態では、光送信ユニット１６と光受信ユニット１７とによって、音源装置７からの音声信号をセレクタ１１に赤外線信号（無線式）で送信するように構成した以外の構成要素においては前記した第１の実施形態と基本的に同じことから同じ構成要素に同じ符号を付することで重複説明は省略する。
【００４２】
≪光送信ユニット及び光受信ユニットの構成≫
図６は、第２の実施形態に係るスピーカ装置の光送信ユニット及び光受信ユニットの概略構成を示すブロック図である。
光送信ユニット１６は、図６の（ａ）に示すように、音源装置７から音声信号を取り込むために、音源装置７の外部音声出力端子に差し込み接続されるプラグ１８と、このプラグ１８で取り込まれた音声信号を増幅するアンプ１９と、このアンプ１９で増幅された音声信号を後記の光信号送信部２１を駆動させる信号に変換する電気・光変換器２０と、この電気・光変換器２０によって変換された信号によって駆動するように赤外線発光ダイオードから形成されている光信号送信部２１とを備えて構成されている。
【００４３】
しかして、光送信ユニット１６は、プラグ１８を音源装置７の外部音声出力端子に接続することにより、音源装置７から音声信号を取り込むことができるようになっている。そして、光送信ユニット１６は、取り込んだ音声信号をアンプ１９で増幅した後に、電気・光変換器２０で光信号送信部２１を駆動させるための信号に変換し、この変換した信号で光信号送信部２１を駆動させて赤外線信号を、光受信ユニット１７に送信するように構成されている。
【００４４】
光受信ユニット１７は、図６の（ｂ）に示すように、光送信ユニット１６から送信されてくる赤外線信号を受光する光信号受信部２２と、この光信号受信部２２で受光された受光信号を音声信号に復調する光・電気変換器２３と、この光・電気変換器２３で復調された音声信号を増幅するアンプ２４と、このアンプ２４によって増幅された音声信号をセレクタ１１に入力するために、セレクタ１１の音声入力端子に差し込み接続されるプラグ２５とを備えて構成されている。
【００４５】
なお、この光受信ユニット１７のレンジフードＡに対する取り付け位置については特に限定されるものでないが、本実施形態では、フード部２の前面部に備えられている操作スイッチ部５に組み込まれて、または、操作スイッチ部５の近くに位置させてフード部２に備えることで、光送信ユニット１６からの赤外線信号を受信し得るようにしている。
【００４６】
このように構成されている第２の実施形態に係るスピーカ装置８−１は、音源装置７の音声信号を光送信ユニット１６に取り込み、この取り込んだ音声信号を一端赤外線信号に変換して、フード部２の備えた光受信ユニット１７に送信する。
そして、光受信ユニット１７は、光送信ユニット１６から送信されてくる赤外線信号を受光してその受光信号から音声信号を復調し、かつ、増幅させた後に、セレクタ１１に出力する。このセレクタ１１に音声信号が入力された以後は、前記した第１の実施形態と同じ動作処理が行われて幕板４に取り付けられている圧電振動体９に音声信号を印加するものである。
【００４７】
この第２の実施形態に係るスピーカ装置８−１では、赤外線信号を送信媒体として用いたが、電波を用いることができることは言うまでのない。
【００４８】
なお、本発明の実施形態の具体的な構成は、前記した実施形態に限られるものではなく、請求項１から請求項２に記載の本発明の要旨を逸脱しない範囲で設計変更などがあっても本発明に含まれるものである。
例えば、幕板に対する圧電振動体の取り付け位置（箇所）やその取り付け個数などを適宜変更することができる。つまり、幕板の板厚寸法や材質、そして大きさ（面積）などに合わせて振動させる場所を適宜変更することができる。また、振動による音楽や音声などの音響効果を高めるために、平板状の幕板に適宜の工夫を付加することができる。
【００４９】
また、レンジフードが、フード部と、このフード部の天板上における略中央部に或いはこの中央部より後半側に位置させて立設する平面視が略角型形状のダクトカバーとを備えて構成されている。
つまり、排気ダクト及び排気装置を目隠すようにフード部の天板からダクトカバーを立設することで構成されている、いわゆるアイランド型タイプのレンジフードにあっては、ダクトカバーの内側内面に圧電振動体を取り付けて、ダクトカバーを圧電振動体で振動させることで音を発するスピーカとすることができる。
【００５０】
また、レンジフードの運転音、特に、排気装置が作動した場合の騒音を検知するための騒音検知マイクをレンジフードに備え、この騒音検知マイクが騒音を検知した場合に、この検知信号と逆位相の音（騒音を打ち消す干渉音）を、スピーカから発するように設定することで、排気装置の作動により発生する騒音レベルを下げることができる。
これにより、音送出機能に加えて、排気装置の騒音を消音するための静音機能をレンジフードに付加することができる。
【図面の簡単な説明】
【００５１】
【図１】第1の実施形態に係るレンジフードの概略構成を示す断面図である。
【図２】フード部の前面部に備えられる操作スイッチ部を示す正面図である。
【図３】第1の実施形態に係るスピーカ装置の概略構成を示すブロック図である。
【図４】第２の実施形態に係るレンジフードの概略構成を示す断面図である。
【図５】第２の実施形態に係るスピーカ装置の概略構成を示すブロック図である。
【図６】第２の実施形態に係るスピーカ装置の光送信ユニット及び光受信ユニットを示し、（ａ）は、光送信ユニットの概略構成を示すブロック図であり、（ｂ）は、同光受信ユニットの概略構成を示すブロック図である。
【符号の説明】
【００５２】
Ａ，Ａ１  レンジフード
１    排気ダクト
２    フード部
３    排気装置
４    幕板（フード構成部材）
５    操作スイッチ部
５ａ  排気操作部
５ｂ  音量操作部
７    音源装置
８，８−１  スピーカ装置
９    圧電振動体
１２  電子ボリューム
１４  スピーカ
１５  マイクロコンピュータ
【図１】
2008025968.tif 000003
【図２】
2008025968.tif 000004
【図３】
2008025968.tif 000005
【図４】
2008025968.tif 000006
【図５】
2008025968.tif 000007
【図６】
2008025968.tif 000008